(57)【要約】      （修正有）【課題】複数の家具部材で構成された家具の家具部材同士の相対的移動を防止することができる家具を提供する。【解決手段】家具は、第１の雄型面状ファスナー１の少なくとも周縁部を押さえてビス３により第１の家具部材Ｂ１に第１の雄型面状ファスナー１を取り付ける第１の枠体２と、第２の雄型面状ファスナー５の少なくとも周縁部を押さえてビス７により第２の家具部材Ｂ２に第２の雄型面状ファスナー５を取り付ける第２の枠体６と、この第２の枠体６と第１の枠体２とは、並設する位置関係にあり、第１の枠体２の開口部２ａより突出する第１の雄型面状ファスナー１と第２の枠体６の開口部６ａより突出する第２の雄型面状ファスナーとに亘って係合する雌型面状ファスナー１０とを備えているものである。【選択図】図６
0003142420.tif 000002
【実用新案登録請求の範囲】
【請求項１】
第１の家具部材と、
この第１の家具部材の上に位置する第２の家具部材と、
前記第１の家具部材に取り付けられる第１の雄型面状ファスナーと、
この第１の雄型面状ファスナーの少なくとも周縁部を押さえてビスにより前記第１の家具部材に前記第１の雄型面状ファスナーを取り付ける第１の枠体と、
前記第２の家具部材に取り付けられる第２の雄型面状ファスナーと、
この第２の雄型面状ファスナーの少なくとも周縁部を押さえてビスにより前記第２の家具部材に前記第２の雄型面状ファスナーを取り付ける第２の枠体と、
この第２の枠体と前記第１の枠体とは、並設する位置関係にあり、
前記第１の枠体の開口部より突出する前記第１の雄型面状ファスナーの部位と前記第２の枠体の開口部より突出する前記第２の雄型面状ファスナーの部位とに亘って係合する雌型面状ファスナーとを備え、
前記第１の枠体及び前記第２の枠体の素材は、前記第１の雄型面状ファスナーの素材より硬く、且つ、前記第１の枠体及び前記第２の枠体の素材は、前記第２の雄型面状ファスナーの素材より硬い
ことを特徴とする家具。
【請求項２】
第１の家具部材と、
この第１の家具部材の上に位置する第２の家具部材と、
前記第１の家具部材に取り付けられる少なくとも第１、第１’の雄型面状ファスナーと、
この第１の雄型面状ファスナーの少なくとも周縁部を押さえてビスにより前記第１の家具部材に前記第１の雄型面状ファスナーを取り付ける第１の枠体と、
前記第１’の雄型面状ファスナーの少なくとも周縁部を押さえてビスにより前記第１の家具部材に前記第１’の雄型面状ファスナーを取り付ける第１’の枠体と、
前記第２の家具部材に取り付けられる少なくとも第２、第２’の雄型面状ファスナーと、
この第２の雄型面状ファスナーの少なくとも周縁部を押さえてビスにより前記第２の家具部材に前記第２の雄型面状ファスナーを取り付ける第２の枠体と、
前記第２’の雄型面状ファスナーの少なくとも周縁部を押さえてビスにより前記第２の家具部材に前記第２’の雄型面状ファスナーを取り付ける第２’の枠体と、
前記第２の枠体と前記第１の枠体とは、並設する位置関係にあり、
前記第２’の枠体と前記第１’の枠体とは、並設する位置関係にあり、
前記第１の枠体の開口部より突出する前記第１の雄型面状ファスナーの部位と前記第２の枠体の開口部より突出する前記第２の雄型面状ファスナーの部位とに亘って係合する第１の雌型面状ファスナーと、
前記第１’の枠体の開口部より突出する前記第１’の雄型面状ファスナーの部位と前記第２’の枠体の開口部より突出する前記第２’の雄型面状ファスナーの部位とに亘って係合する第１’の雌型面状ファスナーとを備え、
前記第１の枠体及び前記第２の枠体の素材は、前記第１の雄型面状ファスナーの素材より硬く、
前記第１の枠体及び前記第２の枠体の素材は、前記第２の雄型面状ファスナーの素材より硬く、
前記第１’の枠体及び前記第’２の枠体の素材は、前記第１’の雄型面状ファスナーの素材より硬く、
前記第１’の枠体及び前記第２’の枠体の素材は、前記第２’の雄型面状ファスナーの素材より硬い
ことを特徴とする家具。
【請求項３】
第１の雄型面状ファスナーは、基布に対して立設するフック状部材を有し、このフック状部材は、前記基布において、直線状に配列された一群のフック状部材が間隔を置いて複数形成されたものであり、
第１の枠体は、平面視、長方形形状の開口部が複数並設するものであり、
前記第１の枠体の前記開口部より前記第１の雄型面状ファスナーの一群のフック状部材が突出すると共に、前記第１の枠体の前記開口部の縁部で前記第１の雄型面状ファスナーの基布を支持し、
第２の雄型面状ファスナーは、基布に対して立設するフック状部材を有し、このフック状部材は、前記基布において、直線状に配列された一群のフック状部材が間隔を置いて複数形成されたものであり、
第２の枠体は、平面視、長方形形状の開口部が複数並設するものであり、
前記第２の枠体の前記開口部より前記第２の雄型面状ファスナーの一群のフック状部材が突出すると共に、前記第２の枠体の前記開口部の縁部で前記第２の雄型面状ファスナーの基布を支持するものである
ことを特徴とする請求項１又は請求項２記載の家具。
【請求項４】
第１の家具部材と、
この第１の家具部材の上に位置する第２の家具部材と、
前記第１の家具部材に取り付けられる第１の雌型面状ファスナーと、
この第１の雌型面状ファスナーの少なくとも周縁部を押さえてビスにより前記第１の家具部材に前記第１の雌型面状ファスナーを取り付ける第１の枠体と、
前記第２の家具部材に取り付けられる第２の雌型面状ファスナーと、
この第２の雌型面状ファスナーの少なくとも周縁部を押さえてビスにより前記第２の家具部材に前記第２の雌型面状ファスナーを取り付ける第２の枠体と、
この第２の枠体と前記第１の枠体とは、並設する位置関係にあり、
前記第１の枠体の開口部より突出する前記第１の雌型面状ファスナーの部位と前記第２の枠体の開口部より突出する前記第２の雌型面状ファスナーの部位とに亘って係合する雄型面状ファスナーとを備え、
前記第１の枠体及び前記第２の枠体の素材は、前記第１の雌型面状ファスナーの素材より硬く、且つ、前記第１の枠体及び前記第２の枠体の素材は、前記第２の雌型面状ファスナーの素材より硬い
ことを特徴とする家具。
【請求項５】
第１の家具部材と、
この第１の家具部材の上に位置する第２の家具部材と、
前記第１の家具部材に取り付けられる少なくとも第１、第１’の雌型面状ファスナーと、
この第１の雌型面状ファスナーの少なくとも周縁部を押さえてビスにより前記第１の家具部材に前記第１の雌型面状ファスナーを取り付ける第１の枠体と、
前記第１’の雌型面状ファスナーの少なくとも周縁部を押さえてビスにより前記第１の家具部材に前記第１’の雌型面状ファスナーを取り付ける第１’の枠体と、
前記第２の家具部材に取り付けられる少なくとも第２、第２’の雌型面状ファスナーと、
この第２の雌型面状ファスナーの少なくとも周縁部を押さえてビスにより前記第２の家具部材に前記第２の雌型面状ファスナーを取り付ける第２の枠体と、
前記第２’の雌型面状ファスナーの少なくとも周縁部を押さえてビスにより前記第２の家具部材に前記第２’の雌型面状ファスナーを取り付ける第２’の枠体と、
前記第２の枠体と前記第１の枠体とは、並設する位置関係にあり、
前記第２’の枠体と前記第１’の枠体とは、並設する位置関係にあり、
前記第１の枠体の開口部より突出する前記第１の雌型面状ファスナーの部位と前記第２の枠体の開口部より突出する前記第２の雌型面状ファスナーの部位とに亘って係合する第１の雄型面状ファスナーと、
前記第１’の枠体の開口部より突出する前記第１’の雌型面状ファスナーの部位と前記第２’の枠体の開口部より突出する前記第２’の雌型面状ファスナーの部位とに亘って係合する第１’の雄型面状ファスナーとを備え、
前記第１の枠体及び前記第２の枠体の素材は、前記第１の雌型面状ファスナーの素材より硬く、
前記第１の枠体及び前記第２の枠体の素材は、前記第２の雌型面状ファスナーの素材より硬く、
前記第１’の枠体及び前記第’２の枠体の素材は、前記第１’の雌型面状ファスナーの素材より硬く、
前記第１’の枠体及び前記第２’の枠体の素材は、前記第２’の雌型面状ファスナーの素材より硬い
ことを特徴とする家具。
【請求項６】
第１の雌型面状ファスナーは、基布に対して立設するループ状部材を有し、このループ状部材は、前記基布において、直線状に配列された一群のループ状部材が間隔を置いて複数形成されたものであり、
第１の枠体は、平面視、長方形形状の開口部が複数並設するものであり、
前記第１の枠体の前記開口部より前記第１の雌型面状ファスナーの一群のループ状部材が突出すると共に、前記第１の枠体の前記開口部の縁部で前記第１の雌型面状ファスナーの基布を支持し、
第２の雌型面状ファスナーは、基布に対して立設するループ状部材を有し、このループ状部材は、前記基布において、直線状に配列された一群のループ状部材が間隔を置いて複数形成されたものであり、
第２の枠体は、平面視、長方形形状の開口部が複数並設するものであり、
前記第２の枠体の前記開口部より前記第２の雌型面状ファスナーの一群のループ状部材が突出すると共に、前記第２の枠体の前記開口部の縁部で前記第２の雌型面状ファスナーの基布を支持する
ことを特徴とする請求項４又は請求項５記載の家具。
【請求項７】
基布に対して立設するフック状部材を有し、このフック状部材は、前記基布において、直線状に配列された一群のフック状部材が間隔を置いて複数形成された第１の雄型面状ファスナーと、
平面視、長方形形状の開口部が複数並設した第１の枠体と、
前記第１の枠体の前記開口部より前記第１の雄型面状ファスナーの一群のフック状部材が突出するものであり、
基布に対して立設するフック状部材を有し、このフック状部材は、前記基布において、直線状に配列された一群のフック状部材が間隔を置いて複数形成された第２の雄型面状ファスナーと、
平面視、長方形形状の開口部が複数並設した第２の枠体と、
前記第１の枠体の前記開口部より突出する前記第１の雄型面状ファスナーの一群のフック状部材と前記第２の枠体の前記開口部より突出する前記第２の雄型面状ファスナーの一群のフック状部材とに係合する雌型面状ファスナーと、
前記第１の枠体を第１の家具部材に取り付ける第１の枠体用ビスと、
前記第２の枠体を第２の家具部材に取り付ける第２の枠体用ビスとを備え、
前記第１の枠体及び前記第２の枠体の素材は、前記第１の雄型面状ファスナーの素材より硬く、且つ、前記第１の枠体及び前記第２の枠体の素材は、前記第２の雄型面状ファスナーの素材より硬い
ことを特徴とする家具移動防止部材。  
【請求項８】
基布に対して立設するループ状部材を有し、このループ状部材は、前記基布において、直線状に配列された一群のループ状部材が間隔を置いて複数形成された第１の雌型面状ファスナーと、
平面視、長方形形状の開口部が複数並設した第１の枠体と、
前記第１の枠体の前記開口部より前記第１の雌型面状ファスナーの一群のループ状部材が突出するものであり、
基布に対して立設するループ状部材を有し、このループ状部材は、前記基布において、直線状に配列された一群のループ状部材が間隔を置いて複数形成された第２の雌型面状ファスナーと、
平面視、長方形形状の開口部が複数並設した第２の枠体と、
前記第１の枠体の前記開口部より突出する前記第１の雌型面状ファスナーの一群のループ状部材と前記第２の枠体の前記開口部より突出する前記第２の雌型面状ファスナーの一群のループ状部材とに係合する雄型面状ファスナーと、
前記第１の枠体を第１の家具部材に取り付ける第１の枠体用ビスと、
前記第２の枠体を第２の家具部材に取り付ける第２の枠体用ビスとを備え、
前記第１の枠体及び前記第２の枠体の素材は、前記第１の雌型面状ファスナーの素材より硬く、且つ、前記第１の枠体及び前記第２の枠体の素材は、前記第２の雌型面状ファスナーの素材より硬い
ことを特徴とする家具移動防止部材。
【考案の詳細な説明】
【技術分野】
【０００１】
本考案は、家具及び家具移動防止部材に係り、特に、複数の家具部材で構成された家具の家具部材同士の相対的移動を防止することができる家具及び家具移動防止部材に関する。
【背景技術】
【０００２】
地震時に、家具が転倒するのを防止する家具転倒防止当具がある（特許文献１参照）。
この家具転倒防止当具は、下段家具の上に上段家具を重ね、上段家具の背面に、家具転倒防止当具をネジで固定し、家具転倒防止当具を壁面に押し付けて構成するものである。
【０００３】
しかしながら、上述の家具転倒防止当具にあっては、家具転倒防止当具を壁面に押し付けねばならず、壁面という設置部位に制約を受けるという問題点があった。
【特許文献１】実開昭６１−７２２４５号公報
【考案の開示】
【考案が解決しようとする課題】
【０００４】
本考案は、前記した問題点を除去するようにした家具及び家具移動防止部材を提供することを目的としている。
【課題を解決するための手段】
【０００５】
前記した目的を達成するための本考案の家具は、第１の家具部材と、この第１の家具部材の上に位置する第２の家具部材と、前記第１の家具部材に取り付けられる第１の雄型面状ファスナーと、この第１の雄型面状ファスナーの少なくとも周縁部を押さえてビスにより前記第１の家具部材に前記第１の雄型面状ファスナーを取り付ける第１の枠体と、前記第２の家具部材に取り付けられる第２の雄型面状ファスナーと、この第２の雄型面状ファスナーの少なくとも周縁部を押さえてビスにより前記第２の家具部材に前記第２の雄型面状ファスナーを取り付ける第２の枠体と、この第２の枠体と前記第１の枠体とは、並設する位置関係にあり、前記第１の枠体の開口部より突出する前記第１の雄型面状ファスナーの部位と前記第２の枠体の開口部より突出する前記第２の雄型面状ファスナーの部位とに亘って係合する雌型面状ファスナーとを備え、前記第１の枠体及び前記第２の枠体の素材は、前記第１の雄型面状ファスナーの素材より硬く、且つ、前記第１の枠体及び前記第２の枠体の素材は、前記第２の雄型面状ファスナーの素材より硬いものである。
【０００６】
また、請求項２記載の家具は、第１の家具部材と、この第１の家具部材の上に位置する第２の家具部材と、前記第１の家具部材に取り付けられる少なくとも第１、第１’の雄型面状ファスナーと、この第１の雄型面状ファスナーの少なくとも周縁部を押さえてビスにより前記第１の家具部材に前記第１の雄型面状ファスナーを取り付ける第１の枠体と、前記第１’の雄型面状ファスナーの少なくとも周縁部を押さえてビスにより前記第１の家具部材に前記第１’の雄型面状ファスナーを取り付ける第１’の枠体と、前記第２の家具部材に取り付けられる少なくとも第２、第２’の雄型面状ファスナーと、この第２の雄型面状ファスナーの少なくとも周縁部を押さえてビスにより前記第２の家具部材に前記第２の雄型面状ファスナーを取り付ける第２の枠体と、前記第２’の雄型面状ファスナーの少なくとも周縁部を押さえてビスにより前記第２の家具部材に前記第２’の雄型面状ファスナーを取り付ける第２’の枠体と、前記第２の枠体と前記第１の枠体とは、並設する位置関係にあり、前記第２’の枠体と前記第１’の枠体とは、並設する位置関係にあり、前記第１の枠体の開口部より突出する前記第１の雄型面状ファスナーの部位と前記第２の枠体の開口部より突出する前記第２の雄型面状ファスナーの部位とに亘って係合する第１の雌型面状ファスナーと、前記第１’の枠体の開口部より突出する前記第１’の雄型面状ファスナーの部位と前記第２’の枠体の開口部より突出する前記第２’の雄型面状ファスナーの部位とに亘って係合する第１’の雌型面状ファスナーとを備え、前記第１の枠体及び前記第２の枠体の素材は、前記第１の雄型面状ファスナーの素材より硬く、前記第１の枠体及び前記第２の枠体の素材は、前記第２の雄型面状ファスナーの素材より硬く、前記第１’の枠体及び前記第’２の枠体の素材は、前記第１’の雄型面状ファスナーの素材より硬く、前記第１’の枠体及び前記第２’の枠体の素材は、前記第２’の雄型面状ファスナーの素材より硬いものである。
【０００７】
また、請求項３記載の家具は、請求項１又は請求項２記載の家具において、第１の雄型面状ファスナーは、基布に対して立設するフック状部材を有し、このフック状部材は、前記基布において、直線状に配列された一群のフック状部材が間隔を置いて複数形成されたものであり、第１の枠体は、平面視、長方形形状の開口部が複数並設するものであり、前記第１の枠体の前記開口部より前記第１の雄型面状ファスナーの一群のフック状部材が突出すると共に、前記第１の枠体の前記開口部の縁部で前記第１の雄型面状ファスナーの基布を支持し、第２の雄型面状ファスナーは、基布に対して立設するフック状部材を有し、このフック状部材は、前記基布において、直線状に配列された一群のフック状部材が間隔を置いて複数形成されたものであり、第２の枠体は、平面視、長方形形状の開口部が複数並設するものであり、前記第２の枠体の前記開口部より前記第２の雄型面状ファスナーの一群のフック状部材が突出すると共に、前記第２の枠体の前記開口部の縁部で前記第２の雄型面状ファスナーの基布を支持するものである。
【０００８】
また、請求項４記載の家具は、第１の家具部材と、この第１の家具部材の上に位置する第２の家具部材と、前記第１の家具部材に取り付けられる第１の雌型面状ファスナーと、この第１の雌型面状ファスナーの少なくとも周縁部を押さえてビスにより前記第１の家具部材に前記第１の雌型面状ファスナーを取り付ける第１の枠体と、前記第２の家具部材に取り付けられる第２の雌型面状ファスナーと、この第２の雌型面状ファスナーの少なくとも周縁部を押さえてビスにより前記第２の家具部材に前記第２の雌型面状ファスナーを取り付ける第２の枠体と、この第２の枠体と前記第１の枠体とは、並設する位置関係にあり、前記第１の枠体の開口部より突出する前記第１の雌型面状ファスナーの部位と前記第２の枠体の開口部より突出する前記第２の雌型面状ファスナーの部位とに亘って係合する雄型面状ファスナーとを備え、前記第１の枠体及び前記第２の枠体の素材は、前記第１の雌型面状ファスナーの素材より硬く、且つ、前記第１の枠体及び前記第２の枠体の素材は、前記第２の雌型面状ファスナーの素材より硬いものである。
【０００９】
また、請求項５記載の家具は、第１の家具部材と、この第１の家具部材の上に位置する第２の家具部材と、前記第１の家具部材に取り付けられる少なくとも第１、第１’の雌型面状ファスナーと、この第１の雌型面状ファスナーの少なくとも周縁部を押さえてビスにより前記第１の家具部材に前記第１の雌型面状ファスナーを取り付ける第１の枠体と、前記第１’の雌型面状ファスナーの少なくとも周縁部を押さえてビスにより前記第１の家具部材に前記第１’の雌型面状ファスナーを取り付ける第１’の枠体と、前記第２の家具部材に取り付けられる少なくとも第２、第２’の雌型面状ファスナーと、この第２の雌型面状ファスナーの少なくとも周縁部を押さえてビスにより前記第２の家具部材に前記第２の雌型面状ファスナーを取り付ける第２の枠体と、前記第２’の雌型面状ファスナーの少なくとも周縁部を押さえてビスにより前記第２の家具部材に前記第２’の雌型面状ファスナーを取り付ける第２’の枠体と、前記第２の枠体と前記第１の枠体とは、並設する位置関係にあり、前記第２’の枠体と前記第１’の枠体とは、並設する位置関係にあり、前記第１の枠体の開口部より突出する前記第１の雌型面状ファスナーの部位と前記第２の枠体の開口部より突出する前記第２の雌型面状ファスナーの部位とに亘って係合する第１の雄型面状ファスナーと、前記第１’の枠体の開口部より突出する前記第１’の雌型面状ファスナーの部位と前記第２’の枠体の開口部より突出する前記第２’の雌型面状ファスナーの部位とに亘って係合する第１’の雄型面状ファスナーとを備え、前記第１の枠体及び前記第２の枠体の素材は、前記第１の雌型面状ファスナーの素材より硬く、前記第１の枠体及び前記第２の枠体の素材は、前記第２の雌型面状ファスナーの素材より硬く、前記第１’の枠体及び前記第’２の枠体の素材は、前記第１’の雌型面状ファスナーの素材より硬く、前記第１’の枠体及び前記第２’の枠体の素材は、前記第２’の雌型面状ファスナーの素材より硬いものである。
【００１０】
また、請求項６記載の家具は、請求項４又は請求項５記載の家具において、第１の雌型面状ファスナーは、基布に対して立設するループ状部材を有し、このループ状部材は、前記基布において、直線状に配列された一群のループ状部材が間隔を置いて複数形成されたものであり、第１の枠体は、平面視、長方形形状の開口部が複数並設するものであり、前記第１の枠体の前記開口部より前記第１の雌型面状ファスナーの一群のループ状部材が突出すると共に、前記第１の枠体の前記開口部の縁部で前記第１の雌型面状ファスナーの基布を支持し、第２の雌型面状ファスナーは、基布に対して立設するループ状部材を有し、このループ状部材は、前記基布において、直線状に配列された一群のループ状部材が間隔を置いて複数形成されたものであり、第２の枠体は、平面視、長方形形状の開口部が複数並設するものであり、前記第２の枠体の前記開口部より前記第２の雌型面状ファスナーの一群のループ状部材が突出すると共に、前記第２の枠体の前記開口部の縁部で前記第２の雌型面状ファスナーの基布を支持するものである。
【００１１】
また、請求項７記載の家具移動防止部材は、基布に対して立設するフック状部材を有し、このフック状部材は、前記基布において、直線状に配列された一群のフック状部材が間隔を置いて複数形成された第１の雄型面状ファスナーと、平面視、長方形形状の開口部が複数並設した第１の枠体と、前記第１の枠体の前記開口部より前記第１の雄型面状ファスナーの一群のフック状部材が突出するものであり、基布に対して立設するフック状部材を有し、このフック状部材は、前記基布において、直線状に配列された一群のフック状部材が間隔を置いて複数形成された第２の雄型面状ファスナーと、平面視、長方形形状の開口部が複数並設した第２の枠体と、前記第１の枠体の前記開口部より突出する前記第１の雄型面状ファスナーの一群のフック状部材と前記第２の枠体の前記開口部より突出する前記第２の雄型面状ファスナーの一群のフック状部材とに係合する雌型面状ファスナーと、前記第１の枠体を第１の家具部材に取り付ける第１の枠体用ビスと、前記第２の枠体を第２の家具部材に取り付ける第２の枠体用ビスとを備え、前記第１の枠体及び前記第２の枠体の素材は、前記第１の雄型面状ファスナーの素材より硬く、且つ、前記第１の枠体及び前記第２の枠体の素材は、前記第２の雄型面状ファスナーの素材より硬いものである。
【００１２】
また、請求項８記載の家具移動防止部材は、基布に対して立設するループ状部材を有し、このループ状部材は、前記基布において、直線状に配列された一群のループ状部材が間隔を置いて複数形成された第１の雌型面状ファスナーと、平面視、長方形形状の開口部が複数並設した第１の枠体と、前記第１の枠体の前記開口部より前記第１の雌型面状ファスナーの一群のループ状部材が突出するものであり、基布に対して立設するループ状部材を有し、このループ状部材は、前記基布において、直線状に配列された一群のループ状部材が間隔を置いて複数形成された第２の雌型面状ファスナーと、平面視、長方形形状の開口部が複数並設した第２の枠体と、前記第１の枠体の前記開口部より突出する前記第１の雌型面状ファスナーの一群のループ状部材と前記第２の枠体の前記開口部より突出する前記第２の雌型面状ファスナーの一群のループ状部材とに係合する雄型面状ファスナーと、前記第１の枠体を第１の家具部材に取り付ける第１の枠体用ビスと、前記第２の枠体を第２の家具部材に取り付ける第２の枠体用ビスとを備え、前記第１の枠体及び前記第２の枠体の素材は、前記第１の雌型面状ファスナーの素材より硬く、且つ、前記第１の枠体及び前記第２の枠体の素材は、前記第２の雌型面状ファスナーの素材より硬いものである。
【考案の効果】
【００１３】
請求項１記載の家具によれば、地震等により第２の家具部材が移動しようとしても、第１の家具部材に取り付けられた第１の雄型面状ファスナーと第２の家具部材に取り付けられた第２の雄型面状ファスナーとに亘って係合する雌型面状ファスナーにより、第２の家具部材の移動が防止され、第２の家具部材が第１の家具部材から落下するのを防ぐことができ、しかも、第１の枠体及び第２の枠体の素材は、第１の雄型面状ファスナーの素材より硬く、且つ、第１の枠体及び第２の枠体の素材は、第２の雄型面状ファスナーの素材より硬いため、ビスを介して第１の枠体によって第１の雄型面状ファスナーを、ビスを介して第２の枠体によって第２の雄型面状ファスナーを、それぞれ押さえることができ、第１の雄型面状ファスナーが第１の家具部材から、第２の雄型面状ファスナーが第２の家具部材からそれぞれ離脱するのを防いで、雌型面状ファスナーと第１の雄型面状ファスナー及び第２の雄型面状ファスナーとの係合状態を保持することができる。
【００１４】
また、請求項２記載の家具によれば、地震等により第２の家具部材が移動しようとしても、第１の家具部材に取り付けられた第１の雄型面状ファスナーと第２の家具部材に取り付けられた第２の雄型面状ファスナーとに亘って係合する第１の雌型面状ファスナー、第１の家具部材に取り付けられた第１’の雄型面状ファスナーと第２の家具部材に取り付けられた第２’の雄型面状ファスナーとに亘って係合する第１’の雌型面状ファスナーにより、第２の家具部材の移動が防止され、第２の家具部材が第１の家具部材から落下するのを防ぐことができ、しかも、第１の枠体及び第２の枠体の素材は、第１の雄型面状ファスナーの素材より硬く、第１の枠体及び第２の枠体の素材は、第２の雄型面状ファスナーの素材より硬く、第１’の枠体及び第２’の枠体の素材は、第１’の雄型面状ファスナーの素材より硬く、第１’の枠体及び第２’の枠体の素材は、第２’の雄型面状ファスナーの素材より硬いため、ビスを介して第１の枠体によって第１の雄型面状ファスナーを、ビスを介して第２の枠体によって第２の雄型面状ファスナーを、ビスを介して第１’の枠体によって第１’の雄型面状ファスナーを、ビスを介して第２’の枠体によって第２’の雄型面状ファスナーを、それぞれ押さえることができ、第１の雄型面状ファスナー及び第１’の雄型面状ファスナーが第１の家具部材から、第２の雄型面状ファスナー及び第２’の雄型面状ファスナーが第２の家具部材からそれぞれ離脱するのを防いで、第１の雌型面状ファスナーと第１の雄型面状ファスナー及び第２の雄型面状ファスナーとの係合状態を、第１’の雌型面状ファスナーと第１’の雄型面状ファスナー及び第２’の雄型面状ファスナーとの係合状態をそれぞれ保持することができる。
【００１５】
また、請求項３記載の家具によれば、第１の雄型面状ファスナーの基布が第１の枠体の開口部の縁部で、第２の雄型面状ファスナーの基布が第２の枠体の開口部の縁部で、それぞれ支持されるため、支持が強固になる分、第１の雄型面状ファスナーが第１の家具部材から、第２の雄型面状ファスナーが第２の家具部材からそれぞれ離脱するのをより防いで、雌型面状ファスナーと第１の雄型面状ファスナー及び第２の雄型面状ファスナーとの係合状態をより保持することができる。
【００１６】
また、請求項４記載の家具によれば、地震等により第２の家具部材が移動しようとしても、第１の家具部材に取り付けられた第１の雌型面状ファスナーと第２の家具部材に取り付けられた第２の雌型面状ファスナーとに亘って係合する雄型面状ファスナーにより、第２の家具部材の移動が防止され、第２の家具部材が第１の家具部材から落下するのを防ぐことができ、しかも、第１の枠体及び第２の枠体の素材は、第１の雌型面状ファスナーの素材より硬く、且つ、第１の枠体及び第２の枠体の素材は、第２の雌型面状ファスナーの素材より硬いため、ビスを介して第１の枠体によって第１の雌型面状ファスナーを、ビスを介して第２の枠体によって第２の雌型面状ファスナーを、それぞれ押さえることができ、第１の雌型面状ファスナーが第１の家具部材から、第２の雌型面状ファスナーが第２の家具部材からそれぞれ離脱するのを防いで、雄型面状ファスナーと第１の雌型面状ファスナー及び第２の雌型面状ファスナーとの係合状態を保持することができる。
【００１７】
また、請求項５記載の家具によれば、地震等により第２の家具部材が移動しようとしても、第１の家具部材に取り付けられた第１の雌型面状ファスナーと第２の家具部材に取り付けられた第２の雌型面状ファスナーとに亘って係合する第１の雄型面状ファスナー、第１の家具部材に取り付けられた第１’の雌型面状ファスナーと第２の家具部材に取り付けられた第２’の雌型面状ファスナーとに亘って係合する第１’の雄型面状ファスナーにより、第２の家具部材の移動が防止され、第２の家具部材が第１の家具部材から落下するのを防ぐことができ、しかも、第１の枠体及び第２の枠体の素材は、第１の雌型面状ファスナーの素材より硬く、第１の枠体及び第２の枠体の素材は、第２の雌型面状ファスナーの素材より硬く、第１’の枠体及び第２’の枠体の素材は、第１’の雌型面状ファスナーの素材より硬く、第１’の枠体及び第２’の枠体の素材は、第２’の雌型面状ファスナーの素材より硬いため、ビスを介して第１の枠体によって第１の雌型面状ファスナーを、ビスを介して第２の枠体によって第２の雌型面状ファスナーを、ビスを介して第１’の枠体によって第１’の雌型面状ファスナーを、ビスを介して第２’の枠体によって第２’の雌型面状ファスナーを、それぞれ押さえることができ、第１の雌型面状ファスナー及び第１’の雌型面状ファスナーが第１の家具部材から、第２の雌型面状ファスナー及び第２’の雌型面状ファスナーが第２の家具部材からそれぞれ離脱するのを防いで、第１の雄型面状ファスナーと第１の雌型面状ファスナー及び第２の雌型面状ファスナーとの係合状態を、第１’の雄型面状ファスナーと第１’の雌型面状ファスナー及び第２’の雌型面状ファスナーとの係合状態をそれぞれ保持することができる。
【００１８】
また、請求項７記載の家具移動防止部材によれば、例えば、第１の雄型面状ファスナーを第１の枠体で押さえてビスにより第１の枠体を第１の家具部材に、第２の雄型面状ファスナーを第２の枠体で押さえてビスにより第２の枠体を第１の家具部材の上に位置する第２の家具部材に、それぞれ取り付け、前記第１の雄型面状ファスナーと前記第２の雄型面状ファスナーとに亘って雌型面状ファスナーが係合するようにすれば、第２の家具部材の移動が防止され、第２の家具部材が第１の家具部材から落下するのを防ぐことができ、しかも、第１の枠体及び第２の枠体の素材は、第１の雄型面状ファスナーの素材より硬く、且つ、第１の枠体及び第２の枠体の素材は、第２の雄型面状ファスナーの素材より硬いため、ビスを介して第１の枠体によって第１の雄型面状ファスナーを、ビスを介して第２の枠体によって第２の雄型面状ファスナーを、それぞれ押さえることができ、第１の雄型面状ファスナーが第１の家具部材から、第２の雄型面状ファスナーが第２の家具部材からそれぞれ離脱するのを防いで、雌型面状ファスナーと第１の雄型面状ファスナー及び第２の雄型面状ファスナーとの係合状態を保持することができる。
【００１９】
また、請求項８記載の家具移動防止部材によれば、例えば、第１の雌型面状ファスナーを第１の枠体で押さえてビスにより第１の枠体を第１の家具部材に、第２の雌型面状ファスナーを第２の枠体で押さえてビスにより第２の枠体を第１の家具部材の上に位置する第２の家具部材に、それぞれ取り付け、前記第１の雌型面状ファスナーと前記第２の雌型面状ファスナーとに亘って雄型面状ファスナーが係合するようにすれば、第２の家具部材の移動が防止され、第２の家具部材が第１の家具部材から落下するのを防ぐことができ、しかも、第１の枠体及び第２の枠体の素材は、第１の雌型面状ファスナーの素材より硬く、且つ、第１の枠体及び第２の枠体の素材は、第２の雌型面状ファスナーの素材より硬いため、ビスを介して第１の枠体によって第１の雌型面状ファスナーを、ビスを介して第２の枠体によって第２の雌型面状ファスナーを、それぞれ押さえることができ、第１の雌型面状ファスナーが第１の家具部材から、第２の雌型面状ファスナーが第２の家具部材からそれぞれ離脱するのを防いで、雄型面状ファスナーと第１の雌型面状ファスナー及び第２の雌型面状ファスナーとの係合状態を保持することができる。
【考案を実施するための最良の形態】
【００２０】
本考案の一実施例である家具及び家具移動防止部材を図面を参照して説明する。
（実施例1）
図１〜図６において、Ｂは家具、例えば、仏壇である。家具Ｂは、第１の家具部材Ｂ１と、この第１の家具部材Ｂ１の上に位置する第２の家具部材Ｂ２とで、概略的に構成されている。
１は第１の雄型面状ファスナーで、２は第１の雄型面状ファスナー１の少なくとも周縁部を押さえてビス３により第１の家具部材Ｂ１に第１の雄型面状ファスナー１を取り付ける第１の枠体で、４は両面テープであり、図２（ｂ）に示す４’は、剥離紙である。なお、場合により両面テープ４は省略することもできる。
【００２１】
また、５は第２の雄型面状ファスナーで、６は第２の雄型面状ファスナー５の少なくとも周縁部を押さえてビス７により第２の家具部材Ｂ２に第２の雄型面状ファスナー５を取り付ける第２の枠体で、８は両面テープである。
そして、図３に示すように、第２の枠体６と第１の枠体２とは、並設する位置関係にあって、第１の枠体２の開口部２ａより突出する第１の雄型面状ファスナー１の部位と第２の枠体６の開口部６ａより突出する第２の雄型面状ファスナー４の部位とに亘って雌型面状ファスナー１０が係合するようになっている。
なお、第１の枠体２及び第２の枠体５の素材は、第１の雄型面状ファスナー１の素材より硬く、且つ、第１の枠体２及び第２の枠体５の素材は、第２の雄型面状ファスナー４の素材より硬い、例えば、金属製部材、プラスチック部材である。
【００２２】
従って、上述した家具Ｂによれば、地震等により第２の家具部材Ｂ２が移動しようとしても、第１の家具部材Ｂ１に取り付けられた第１の雄型面状ファスナー１の部位と第２の家具部材Ｂ２に取り付けられた第２の雄型面状ファスナーの部位５とに亘って係合する雌型面状ファスナー１０により、第２の家具部材Ｂ２の移動が防止され、第２の家具部材Ｂ２が第１の家具部材Ｂ１から落下するのを防ぐことができ、しかも、第１の枠体２及び第２の枠体６の素材は、第１の雄型面状ファスナー１の素材より硬く、且つ、第１の枠体２及び第２の枠体６の素材は、第２の雄型面状ファスナー５の素材より硬いため、ビス３を介して第１の枠体２によって第１の雄型面状ファスナー１を、ビス７を介して第２の枠体６によって第２の雄型面状ファスナー５を、それぞれ押さえることができ、第１の雄型面状ファスナー１が第１の家具部材Ｂ１から、第２の雄型面状ファスナー５が第２の家具部材Ｂ２からそれぞれ離脱するのを防いで、雌型面状ファスナー１０と第１の雄型面状ファスナー１及び第２の雄型面状ファスナー５との係合状態を保持することができる。
【００２３】
（実施例２）
上述した実施例１においては、第１の家具部材Ｂ１、第２の家具部材Ｂ２の側にそれぞれ第１の雄型面状ファスナー１、第２の雄型面状ファスナー５を設けたが、第１の家具部材Ｂ１、第２の家具部材Ｂ２の側にそれぞれ図示しない第１の雌型面状ファスナー、第２の雌型面状ファスナーを設けるようにしても良い。
即ち、実施例２においては、上述した実施例１の図１乃至図６の「第１の雄型面状ファスナー１、第２の雄型面状ファスナー５と雌型面状ファスナー１０との係合関係」が逆になる以外は同じであるため、図を省略すると共に、実施例１と同一部分については、同一符号を用いる。
【００２４】
実施例２の家具Ｂは、第１の家具部材Ｂ１と、この第１の家具部材Ｂ１の上に位置する第２の家具部材Ｂ２と、第１の雌型面状ファスナー（図示せず）と、この第１の雌型面状ファスナー（図示せず）の少なくとも周縁部を押さえてビス３により第１の家具部材Ｂ１に第１の雌型面状ファスナー（図示せず）を取り付ける第１の枠体２と、第２の雌型面状ファスナー（図示せず）と、この第２の雌型面状ファスナー（図示せず）の少なくとも周縁部を押さえてビス７により第２の家具部材Ｂ２に第２の雌型面状ファスナー（図示せず）を取り付ける第２の枠体６と、この第２の枠体６と第１の枠体２とは、並設する位置関係にあり、第１の枠体２の開口部２ａより突出する第１の雌型面状ファスナー（図示せず）の部位と第２の枠体６の開口部６ａより突出する第２の雌型面状ファスナー（図示せず）の部位とに亘って係合する雄型面状ファスナー（図示せず）とを備え、第１の枠体２及び第２の枠体６の素材は、第１の雌型面状ファスナー（図示せず）の素材より硬く、且つ、第１の枠体２及び第２の枠体６の素材は、第２の雌型面状ファスナー（図示せず）の素材より硬い
ものとなっている。
【００２５】
この実施例の家具Ｂにおいても、実施例１と同様、地震等により第２の家具部材Ｂ２が移動しようとしても、第１の家具部材Ｂ１に取り付けられた第１の雌型面状ファスナー（図示せず）と第２の家具部材Ｂ２に取り付けられた第２の雌型面状ファスナー（図示せず）とに亘って係合する雄型面状ファスナー（図示せず）により、第２の家具部材Ｂ２の移動が防止され、第２の家具部材Ｂ２が第１の家具部材Ｂ１から落下するのを防ぐことができ、しかも、第１の枠体２及び第２の枠体６の素材は、第１の雌型面状ファスナー（図示せず）の素材より硬く、且つ、第１の枠体２及び第２の枠体６の素材は、第２の雌型面状ファスナー（図示せず）の素材より硬いため、ビス３を介して第１の枠体２によって第１の雌型面状ファスナー（図示せず）を、ビス７を介して第２の枠体６によって第２の雌型面状ファスナー（図示せず）を、それぞれ押さえることができ、第１の雌型面状ファスナー（図示せず）が第１の家具部材Ｂ１から、第２の雌型面状ファスナー（図示せず）が第２の家具部材Ｂ２からそれぞれ離脱するのを防いで、雄型面状ファスナー（図示せず）と第１の雌型面状ファスナー（図示せず）及び第２の雌型面状ファスナー（図示せず）との係合状態を保持することができる。
【００２６】
（実施例３）
上述した実施例１においては、第１の家具部材Ｂ１、第２の家具部材Ｂ２の側にそれぞれ第１の雄型面状ファスナー１、第２の雄型面状ファスナー５を設け、第１の家具部材Ｂ１に取り付けた第１の枠体２の開口部２ａより突出する第１の雄型面状ファスナー１の部位と第２の家具部材Ｂ２に取り付けた第２の枠体６の開口部６ａより突出する第２の雄型面状ファスナー５の部位とに亘って係合する雌型面状ファスナー１０とを備えた一組としたが、該係合部位は、多ければ多いほど雌型面状ファスナー１０と第１の雄型面状ファスナー１及び第２の雄型面状ファスナー５との係合状態を保持することができるが、
本願考案にあっては、第１の家具部材Ｂ１に取り付けられる雄型面状ファスナーは、少なくとも、第１、第１’の雄型面状ファスナー１、１’、第２の家具部材Ｂ２に取り付けられる雄型面状ファスナーは、少なくとも、第２、第２’の雄型面状ファスナー５、５’、隣接する第１の雄型面状ファスナー１と第２の雄型面状ファスナー５に係合する第１の雌型面状ファスナー１０、隣接する第１’の雄型面状ファスナー１’と第２’の雄型面状ファスナー５’に係合する第１’の雌型面状ファスナー１０’と雌型面状ファスナーは、少なくとも、２個あれば良い。
なお、第１’の雄型面状ファスナー１’は第１の雄型面状ファスナー１と、第２’の雄型面状ファスナー５’は第２の雄型面状ファスナー５と、第１’の雌型面状ファスナー１０’は、第１の雌型面状ファスナー１０と、それぞれ同様であるので、図６に括弧を付している。
【００２７】
（実施例４）
上述した実施例３においては、第１の家具部材Ｂ１、第２の家具部材Ｂ２の側にそれぞれ第１、第１’の雄型面状ファスナー１、１’、第２、第２’の雄型面状ファスナー５、５’を設けたが、第１の家具部材Ｂ１、第２の家具部材Ｂ２の側にそれぞれ図示しない第１、第１’の雌型面状ファスナー、第２、第２’の雌型面状ファスナーを設けるようにしても良い。
即ち、実施例４においては、上述した実施例３の図１乃至図６の「第１の雄型面状ファスナー１、第２の雄型面状ファスナー５と第１の雌型面状ファスナー１０との係合関係、第１’の雄型面状ファスナー１’、第２’の雄型面状ファスナー５’と第１’の雌型面状ファスナー１０との係合関係」が逆になる以外は同じであるため、図を省略すると共に、実施例３と同一部分については、同一符号を用いる。
【００２８】
（実施例５）
次に、実施例５について、図７乃至図１２を参照して、以下説明する。
上述の実施例と異なる点は、平面視、第１の枠体２及び第２の枠体６長方形形状の開口部が複数並設されている点である。
即ち、第１の家具部材Ｂ１に取り付けられる第１の雄型面状ファスナー１は、基布に対して立設するフック状部材を有し、このフック状部材は、前記基布において、直線状に配列された一群のフック状部材が間隔を置いて複数形成されたものであり、第１の枠体２、平面視、長方形形状の開口部２ａが複数（本実施例では、４個）並設している。
そして、第１の枠体２の開口部２ａより第１の雄型面状ファスナー１の一群のフック状部材が突出すると共に、第１の枠体２の開口部２ａの縁部で第１の雄型面状ファスナー１の基布を支持するようになっている。
また、第２の家具部材Ｂ２に取り付けられる第２の雄型面状ファスナーは、基布に対して立設するフック状部材を有し、このフック状部材は、前記基布において、直線状に配列された一群のフック状部材が間隔を置いて複数形成されたものであり、第２の枠体６は、平面視、長方形形状の開口部６ａが複数（本実施例では、４個）並設している。
そして、第２の枠体６の開口部６ａより第２の雄型面状ファスナー５の一群のフック状部材が突出すると共に、第２の枠体６の開口部６ａの縁部６Ａで第２の雄型面状ファスナー５の基布を支持するものである（図９参照）
従って、この家具にあっては、第１の雄型面状ファスナー１の基布が第１の枠体２の開口部２ａの縁部２Ａで第１の雄型面状ファスナー１の基布を、第２の枠体６の開口部６ａの縁部６Ａで第２の雄型面状ファスナー５の基布を、それぞれ支持するため、支持が強固になる分、第１の雄型面状ファスナー１が第１の家具部材Ｂ１から、第２の雄型面状ファスナー５が第２の家具部材Ｂ２からそれぞれ離脱するのをより防いで、雌型面状ファスナー１０と第１の雄型面状ファスナー１及び第２の雄型面状ファスナー５との係合状態をより保持することができる。
【００２９】
（実施例６）
上述した実施例５においては、第１の家具部材Ｂ１、第２の家具部材Ｂ２の側にそれぞれ第１の雄型面状ファスナー１、第２の雄型面状ファスナー５を設けたが、第１の家具部材Ｂ１、第２の家具部材Ｂ２の側にそれぞれ図示しない第１の雌型面状ファスナー、第２の雌型面状ファスナーを設けるようにしても良い。
即ち、実施例６においては、上述した実施例５の図７乃至図１２の「第１の雄型面状ファスナー１、第２の雄型面状ファスナー５と雌型面状ファスナー１０との係合関係」が逆になる以外は同じであるため、図を省略すると共に、実施例５と同一部分については、同一符号を用いる。
第１の雌型面状ファスナー（図示せず）は、基布に対して立設するループ状部材を有し、このループ状部材は、前記基布において、直線状に配列された一群のループ状部材が間隔を置いて複数形成されたものであり、第１の枠体２は、平面視、長方形形状の開口部２ａが複数（本実施例では、４個）並設している。
そして、第１の枠体２の開口部２ａより前記第１の雌型面状ファスナー（図示せず）の一群のループ状部材が突出すると共に、第１の枠体２の開口部２ａの縁部２Ａで第１の雌型面状ファスナー（図示せず）の基布を支持するようになっている。
また、第２の雌型面状ファスナー（図示せず）は、基布に対して立設するループ状部材を有し、このループ状部材は、前記基布において、直線状に配列された一群のループ状部材が間隔を置いて複数形成されたものであり、第２の枠体６は、平面視、長方形形状の開口部６ａが複数（本実施例では、４個）並設している。
そして、第２の枠体６の開口部６ａより第２の雌型面状ファスナー（図示せず）の一群のループ状部材が突出すると共に、第２の枠体６の開口部６ａの縁部６Ａで第２の雌型面状ファスナー（図示せず）の基布を支持するものである。
従って、この家具にあっては、第１の雌型面状ファスナー（図示せず）の基布が第１の枠体２の開口部２ａの縁部２Ａで、第２の雌型面状ファスナー（図示せず）の基布が第２の枠体６の開口部６ａの縁部６Ａで、それぞれ支持されるため、支持が強固になる分、第１の雌型面状ファスナー（図示せず）が第１の家具部材Ｂ１から、第２の雌型面状ファスナー（図示せず）が第２の家具部材Ｂ２からそれぞれ離脱するのをより防いで、雄型面状ファスナー（図示せず）と第１の雌型面状ファスナー（図示せず）及び第２の雌型面状ファスナー（図示せず）との係合状態をより保持することができる。
【００３０】
（実施例７）
なお、図７に示すＸは、家具移動防止部材で、家具移動防止部材Ｘは、基布に対して立設するフック状部材を有し、このフック状部材は、前記基布において、直線状に配列された一群のフック状部材が間隔を置いて複数形成された第１の雄型面状ファスナー１と、平面視、長方形形状の開口部２ａが複数並設した第１の枠体２と、第１の枠体２の開口部２ａより第１の雄型面状ファスナー１の一群のフック状部材が突出するものであり、基布に対して立設するフック状部材を有し、このフック状部材は、前記基布において、直線状に配列された一群のフック状部材が間隔を置いて複数形成された第２の雄型面状ファスナー５と、平面視、長方形形状の開口部６ａが複数並設した第２の枠体６と、第１の枠体２の開口部２ａより突出する第１の雄型面状ファスナー１の一群のフック状部材と第２の枠体６の開口部６ａより突出する第２の雄型面状ファスナー７の一群のフック状部材とに係合する雌型面状ファスナー１０と、第１の枠体２を第１の家具部材Ｂ１に取り付ける第１の枠体用ビス３と、第２の枠体６を第２の家具部材Ｂ２に取り付ける第２の枠体用ビス７とを備え、第１の枠体２及び第２の枠体６の素材は、第１の雄型面状ファスナー１の素材より硬く、且つ、第１の枠体２及び第２の枠体６の素材は、第２の雄型面状ファスナー５の素材より硬いものとなっている。
この家具移動防止部材Ｘによれば、上述したように、例えば、第１の雄型面状ファスナー１を第１の枠体２で押さえてビス３により第１の枠体２を第１の家具部材Ｂ１に第１の雄型面状ファスナー１を、第２の雄型面状ファスナー５を第２の枠体６で押さえてビス７により第２の枠体６を第１の家具部材Ｂ１の上に位置する第２の家具部材Ｂ２に第２の雄型面状ファスナー５を、それぞれ取り付け、第１の雄型面状ファスナー１と第２の雄型面状ファスナー５とに亘って雌型面状ファスナー１０が係合するようにすれば、第２の家具部材Ｂ２の移動が防止され、第２の家具部材Ｂ２が第１の家具部材Ｂ１から落下するのを防ぐことができ、しかも、第１の枠体２及び第２の枠体６の素材は、第１の雄型面状ファスナー１の素材より硬く、且つ、第１の枠体２及び第２の枠体６の素材は、第２の雄型面状ファスナー５の素材より硬いため、ビス３を介して第１の枠体２によって第１の雄型面状ファスナー１を、ビス７を介して第２の枠体６によって第２の雄型面状ファスナー５を、それぞれ押さえることができ、第１の雄型面状ファスナー１が第１の家具部材Ｂ１から、第２の雄型面状ファスナー５が第２の家具部材Ｂ２からそれぞれ離脱するのを防いで、雌型面状ファスナー１０と第１の雄型面状ファスナー１及び第２の雄型面状ファスナー５との係合状態を保持することができる。
【００３１】
（実施例８）
上述した実施例７においては、第１の家具部材Ｂ１、第２の家具部材Ｂ２の側にそれぞれ第１の雄型面状ファスナー１、第２の雄型面状ファスナー５を設けたが、第１の家具部材Ｂ１、第２の家具部材Ｂ２の側にそれぞれ図示しない第１の雌型面状ファスナー、第２の雌型面状ファスナーを設けるようにしても良い。
即ち、実施例８においては、上述した実施例７の図７乃至図１２の「第１の雄型面状ファスナー１、第２の雄型面状ファスナー５と雌型面状ファスナー１０との係合関係」が逆になる以外は同じであるため、図を省略すると共に、実施例７と同一部分については、同一符号を用いる。
家具移動防止部材Ｘは、基布に対して立設するループ状部材を有し、このループ状部材は、前記基布において、直線状に配列された一群のループ状部材が間隔を置いて複数形成された第１の雌型面状ファスナー（図示せず）と、平面視、長方形形状の開口部２ａが複数並設した第１の枠体２と、第１の枠体２の開口部２ａより第１の雌型面状ファスナー（図示せず）の一群のループ状部材が突出するものであり、基布に対して立設するループ状部材を有し、このループ状部材は、前記基布において、直線状に配列された一群のループ状部材が間隔を置いて複数形成された第２の雌型面状ファスナー（図示せず）と、平面視、長方形形状の開口部６ａが複数並設した第２の枠体６と、第１の枠体２の開口部２ａより突出する第１の雌型面状ファスナー（図示せず）の一群のループ状部材と第２の枠体６の開口部６ａより突出する第２の雌型面状ファスナー（図示せず）の一群のループ状部材とに係合する雄型面状ファスナー（図示せず）、第１の枠体２を第１の家具部材Ｂ１に取り付ける第１の枠体用ビス３と、第２の枠体６を第２の家具部材Ｂ２に取り付ける第２の枠体用ビス７とを備え、第１の枠体２及び第２の枠体６の素材は、第１の雌型面状ファスナー（図示せず）の素材より硬く、且つ、第１の枠体２及び第２の枠体６の素材は、第２の雌型面状ファスナー（図示せず）の素材より硬いものとなっている。
この家具移動防止部材Ｘによれば、上述したように、例えば、第１の雌型面状ファスナー（図示せず）を第１の枠体２で押さえてビス３により第１の枠体２を第１の家具部材Ｂ１に第１の雄型面状ファスナー１を、第２の雄型面状ファスナー５を第２の枠体６で押さえてビス７により第２の枠体６を第１の家具部材Ｂ１の上に位置する第２の家具部材Ｂ２に第２の雌型面状ファスナー（図示せず）を、それぞれ取り付け、第１の雌型面状ファスナー（図示せず）と第２の雌型面状ファスナー（図示せず）とに亘って雄型面状ファスナー（図示せず）が係合するようにすれば、第２の家具部材Ｂ２の移動が防止され、第２の家具部材Ｂ２が第１の家具部材Ｂ１から落下するのを防ぐことができ、しかも、第１の枠体２及び第２の枠体６の素材は、第１の雌型面状ファスナー（図示せず）の素材より硬く、且つ、第１の枠体２及び第２の枠体６の素材は、第２の雌型面状ファスナー（図示せず）の素材より硬いため、ビス３を介して第１の枠体２によって第１の雌型面状ファスナー（図示せず）を、ビス７を介して第２の枠体６によって第２の雌型面状ファスナー（図示せず）を、それぞれ押さえることができ、第１の雌型面状ファスナー（図示せず）が第１の家具部材Ｂ１から、第２の雌型面状ファスナー（図示せず）が第２の家具部材Ｂ２からそれぞれ離脱するのを防いで、雄型面状ファスナー（図示せず）と第１の雌型面状ファスナー（図示せず）及び第２の雌型面状ファスナー（図示せず）との係合状態を保持することができる。
【図面の簡単な説明】
【００３２】
【図１】図１は、本考案の一実施例の家具を背面側から見た概略的斜視図である。
【図２】図２（ａ）は、図１の２−２線による概略的断面図であり、図２（ｂ）は、図２（ａ）の粘着部（両面テープ）を説明するための概略的断面図である。
【図３】図３は、図１の一部の概略的拡大正面図である。
【図４】図４は、図３の４−４線による概略的断面図である。
【図５】図５は、図４のＡの概略的拡大断面図である。
【図６】図６は、図３の一部を分解して示す概略的一部分解斜視図である。
【図７】図７は、図６と異なる他の実施例の概略的一部分解斜視図である。
【図８】図８は、図７の８−８線による概略的断面図である。
【図９】図９は、図８のＣの概略的拡大断面図である。
【図１０】図１０は、図７の第１の雄型面状ファスナー（第２の雄型面状ファスナー）の概略的断面図である。
【図１１】図１１は、図７の第１の枠体（第２の枠体）の概略的正面図である。
【図１２】図１２は、図７の第１の雄型面状ファスナー（第２の雄型面状ファスナー）の上に第１の枠体（第２の枠体）が位置した状態の概略的正面図である。
【符号の説明】
【００３３】
Ｂ     …家具
Ｂ１   …第１の家具部材
Ｂ２   …第２の家具部材
１     …第１の雄型面状ファスナー
２     …第１の枠体
３     …ビス
５     …第２の雄型面状ファスナー
６     …第２の枠体
７     …ビス
１０   …雌型面状ファスナー
【図１】
0003142420.tif 000003
【図２】
0003142420.tif 000004
【図３】
0003142420.tif 000005
【図４】
0003142420.tif 000006
【図５】
0003142420.tif 000007
【図６】
0003142420.tif 000008
【図７】
0003142420.tif 000009
【図８】
0003142420.tif 000010
【図９】
0003142420.tif 000011
【図１０】
0003142420.tif 000012
【図１１】
0003142420.tif 000013
【図１２】
0003142420.tif 000014